(57)【特許請求の範囲】
【請求項１】
車両用灯具に用いられる反射鏡の反射面を配光パターンによって評価する反射面評価方法であって、
評価対象となる反射鏡の反射面に対して、光源が配置される光源位置を通る光軸を含む第１平面と、前記反射面との交線によって、第１曲線を生成する第１曲線生成ステップと、
前記第１曲線上に設定された複数の分割点のそれぞれにおいて、その分割点での前記光源からの光の反射方向に平行で、前記第１平面に直交する第２平面と、前記反射面との交線によって、第２曲線を生成する第２曲線生成ステップと、
前記第１曲線及び複数の前記第２曲線によって前記反射面を分割して、複数の部分曲面を生成する部分曲面生成ステップと、
前記複数の部分曲面のうちの少なくとも１つの部分曲面を評価対象とするとともに、評価対象とされた前記部分曲面上に、それぞれ複数の評価点を設定する評価点設定ステップと、
評価対象とされた前記部分曲面について、その部分曲面上に設定された前記複数の評価点それぞれでの前記光源からの光の反射条件に基づいて前記部分曲面からの配光パターンを算出して、表示手段に表示する配光パターン表示ステップと
を備えることを特徴とする車両用灯具の反射鏡の反射面評価方法。
【請求項２】
前記第２曲線生成ステップは、
前記複数の分割点を設定するための前記第１曲線の分割数を指定する分割数指定ステップと、
前記複数の分割点のそれぞれの位置となる前記第１曲線上の分割位置を指定する分割位置指定ステップと
を含むことを特徴とする請求項１記載の反射面評価方法。
【請求項３】
前記配光パターン表示ステップにおいて、複数の前記部分曲面が評価対象とされている場合に、複数の前記部分曲面のそれぞれからの前記配光パターンを区別可能に表示することを特徴とする請求項１記載の反射面評価方法。
【請求項４】
前記配光パターン表示ステップにおいて、前記部分曲面上に設定された前記複数の評価点それぞれでの前記反射条件に基づいて、前記光源の発光領域からの光が反射されて得られる発光領域像を用いて前記配光パターンを算出及び表示することを特徴とする請求項１記載の反射面評価方法。
【請求項５】
前記評価点設定ステップにおいて、評価対象とされた前記部分曲面上を、前記第１曲線の方向と前記第２曲線の方向とに沿ってそれぞれ所定の区分数で区分して、略等間隔で２次元に配列された前記複数の評価点を設定することを特徴とする請求項１記載の反射面評価方法。
【請求項６】
車両用灯具に用いられる反射鏡の反射面を配光パターンによって評価する反射面評価システムであって、
評価対象となる反射鏡の反射面に対して、光源が配置される光源位置を通る光軸を含む第１平面と、前記反射面との交線によって、第１曲線を生成する第１曲線生成手段と、
前記第１曲線上に設定された複数の分割点のそれぞれにおいて、その分割点での前記光源からの光の反射方向に平行で、前記第１平面に直交する第２平面と、前記反射面との交線によって、第２曲線を生成する第２曲線生成手段と、
前記第１曲線及び複数の前記第２曲線によって前記反射面を分割して、複数の部分曲面を生成する部分曲面生成手段と、
前記複数の部分曲面のうちの少なくとも１つの部分曲面を評価対象とするとともに、評価対象とされた前記部分曲面上に、それぞれ複数の評価点を設定する評価点設定手段と、
評価対象とされた前記部分曲面について、その部分曲面上に設定された前記複数の評価点それぞれでの前記光源からの光の反射条件に基づいて前記部分曲面からの配光パターンを算出する配光パターン算出手段と、算出された前記配光パターンを表示して、前記反射面の評価に用いられる評価画面を作成する評価画面作成手段を含み、作成された前記評価画面の表示を指示する画面表示指示手段とを有する配光パターン表示指示手段と、
前記評価画面を表示する表示手段と
を備えることを特徴とする車両用灯具の反射鏡の反射面評価システム。
【請求項７】
前記評価画面作成手段において、複数の前記部分曲面が評価対象とされている場合に、複数の前記部分曲面のそれぞれからの前記配光パターンが区別可能に表示される構成として評価画面を作成することを特徴とする請求項６記載の反射面評価システム。
【請求項８】
前記配光パターン算出手段において、前記部分曲面上に設定された前記複数の評価点それぞれでの前記反射条件に基づいて、前記光源の発光領域からの光が反射されて得られる発光領域像を用いて前記配光パターンを算出するとともに、
前記評価画面作成手段において、前記発光領域像を用いて前記配光パターンが表示される構成として評価画面を作成することを特徴とする請求項６記載の反射面評価システム。
【請求項９】
前記評価点設定手段において、評価対象とされた前記部分曲面上を、前記第１曲線の方向と前記第２曲線の方向とに沿ってそれぞれ所定の区分数で区分して、略等間隔で２次元に配列された前記複数の評価点を設定することを特徴とする請求項６記載の反射面評価システム。
【請求項１０】
車両用灯具に用いられる反射鏡の反射面を配光パターンによって評価する反射面評価をコンピュータに実行させるためのプログラムを記録したコンピュータ読取可能な記録媒体であって、
評価対象となる反射鏡の反射面に対して、光源が配置される光源位置を通る光軸を含む第１平面と、前記反射面との交線によって、第１曲線を生成する第１曲線生成処理と、
前記第１曲線上に設定された複数の分割点のそれぞれにおいて、その分割点での前記光源からの光の反射方向に平行で、前記第１平面に直交する第２平面と、前記反射面との交線によって、第２曲線を生成する第２曲線生成処理と、
前記第１曲線及び複数の前記第２曲線によって前記反射面を分割して、複数の部分曲面を生成する部分曲面生成処理と、
前記複数の部分曲面のうちの少なくとも１つの部分曲面を評価対象とするとともに、評価対象とされた前記部分曲面上に、それぞれ複数の評価点を設定する評価点設定処理と、
評価対象とされた前記部分曲面について、その部分曲面上に設定された前記複数の評価点それぞれでの前記光源からの光の反射条件に基づいて前記部分曲面からの配光パターンを算出して、表示手段に表示する配光パターン表示処理と
をコンピュータに実行させるためのプログラムを記録したコンピュータ読取可能な記録媒体。
【請求項１１】
前記第２曲線生成処理は、
前記複数の分割点を設定するための前記第１曲線の分割数を指定する分割数指定処理と、
前記複数の分割点のそれぞれの位置となる前記第１曲線上の分割位置を指定する分割位置指定処理と
を含むことを特徴とする請求項１０記載の記録媒体。
【請求項１２】
前記プログラムは、前記配光パターン表示処理において、複数の前記部分曲面が評価対象とされている場合に、複数の前記部分曲面のそれぞれからの前記配光パターンを区別可能に表示することを特徴とする請求項１０記載の記録媒体。
【請求項１３】
前記プログラムは、前記配光パターン表示処理において、前記部分曲面上に設定された前記複数の評価点それぞれでの前記反射条件に基づいて、前記光源の発光領域からの光が反射されて得られる発光領域像を用いて前記配光パターンを算出及び表示することを特徴とする請求項１０記載の記録媒体。
【請求項１４】
前記プログラムは、前記評価点設定処理において、評価対象とされた前記部分曲面上を、前記第１曲線の方向と前記第２曲線の方向とに沿ってそれぞれ所定の区分数で区分して、略等間隔で２次元に配列された前記複数の評価点を設定することを特徴とする請求項１０記載の記録媒体。
【発明の詳細な説明】
【０００１】
【発明の属する技術分野】
本発明は、自動車等の車両に用いられる車両用灯具の反射鏡の反射面を配光パターンによって評価する反射面評価方法、反射面評価システム、及び車両用灯具の反射鏡の反射面評価をコンピュータに実行させるためのプログラムを記録したコンピュータ読取可能な記録媒体に関するものである。
【０００２】
【従来の技術】
車両用灯具は、所定の光源位置に配置される光源（光源バルブ）と、光源バルブからの光を光軸の方向へと反射する反射鏡と、反射鏡からの反射光を透過して灯具の外部へと出射するレンズと、を有して構成される。
【０００３】
このような構成を有する車両用灯具において、灯具から出射される光の配光パターンは、主に、光源バルブからの光に対する反射鏡の反射面形状やその位置関係によって設定される（例えば、特公昭４５−７３９７号公報、特開平６−２６７３０２号公報参照）。すなわち、反射鏡の反射面へと入射された光源バルブからの光は、反射面の各部位において、それぞれでの面形状によって決まる反射方向や光拡散条件などの反射条件によって反射されて、反射光として灯具から出射される。また、反射光の光拡散条件などの反射条件の一部は、反射光が透過されるレンズによっても設定される。
【０００４】
【発明が解決しようとする課題】
上記した車両用灯具から出射される光に対しては、それぞれの灯具の種類、用途、車両での設置位置に応じて、得られる配光パターンが、反射鏡からの反射光が出射される範囲や、各反射方向での光強度などについて一定の条件を満たすことが要求される。
【０００５】
一方、車両用灯具においては、上記した配光パターンなどの（１）機能に関する側面からの条件に加えて、自動車などの車両に取り付けた状態で使用されることから、（２）形状に関する側面からの条件（形状制約条件）、及び（３）外観に関する側面からの条件（外観制約条件）が課せられる。特に、近年、車体構成上の制限や、車両のデザイン性の高まりなどにより、灯具に対して様々な条件が課せられるようになっている。
【０００６】
したがって、車両に適用される灯具の反射鏡においては、その面積や奥行きなどに対して課せられた形状面及び外観面からの制約条件を満たした上で、要求される配光パターンが得られる反射面を実現しなくてはならない。このため、反射鏡の反射面の設計においては、作成された反射面の面形状によって得られる配光パターンを求めて、要求されている条件を満たす配光パターンが得られているかどうかを評価することが重要となる。
【０００７】
ここで、配光パターンを評価した結果、その灯具に要求されている配光パターンの条件が満たされていなかった場合には、その評価結果に基づいて、反射面の再設計を行うことが必要となる。このとき、反射面からの配光パターンを全体として評価したのでは、反射面の各面部分と配光パターンの各パターン部分との対応が必ずしも明確にならないなどの問題を生じる。このため、要求されている配光パターンを実現するための反射面設計において、反射面の再設計時における配光パターンの制御性が充分に得られず、設計作業の効率が低下して反射面設計に長時間を要することとなる。
【０００８】
本発明は、以上の問題点を解決するためになされたものであり、反射面と配光パターンとの対応が明確化されて、反射面設計時の配光パターンの制御性を向上することが可能な車両用灯具の反射鏡の反射面評価方法、反射面評価システム、及び車両用灯具の反射鏡の反射面評価をコンピュータに実行させるためのプログラムを記録したコンピュータ読取可能な記録媒体を提供することを目的とする。
【０００９】
【課題を解決するための手段】
このような目的を達成するために、本発明による反射面評価方法は、車両用灯具に用いられる反射鏡の反射面を配光パターンによって評価する反射面評価方法であって、（１）評価対象となる反射鏡の反射面に対して、光源が配置される光源位置を通る光軸を含む第１平面と、反射面との交線によって、第１曲線を生成する第１曲線生成ステップと、（２）第１曲線上に設定された複数の分割点のそれぞれにおいて、その分割点での光源からの光の反射方向に平行で、第１平面に直交する第２平面と、反射面との交線によって、第２曲線を生成する第２曲線生成ステップと、（３）第１曲線及び複数の第２曲線によって反射面を分割して、複数の部分曲面を生成する部分曲面生成ステップと、（４）複数の部分曲面のうちの少なくとも１つの部分曲面を評価対象とするとともに、評価対象とされた部分曲面上に、それぞれ複数の評価点を設定する評価点設定ステップと、（５）評価対象とされた部分曲面について、その部分曲面上に設定された複数の評価点それぞれでの光源からの光の反射条件に基づいて部分曲面からの配光パターンを算出して、表示手段に表示する配光パターン表示ステップとを備えることを特徴とする。
【００１０】
また、本発明による反射面評価システムは、車両用灯具に用いられる反射鏡の反射面を配光パターンによって評価する反射面評価システムであって、（１）評価対象となる反射鏡の反射面に対して、光源が配置される光源位置を通る光軸を含む第１平面と、反射面との交線によって、第１曲線を生成する第１曲線生成手段と、（２）第１曲線上に設定された複数の分割点のそれぞれにおいて、その分割点での光源からの光の反射方向に平行で、第１平面に直交する第２平面と、反射面との交線によって、第２曲線を生成する第２曲線生成手段と、（３）第１曲線及び複数の第２曲線によって反射面を分割して、複数の部分曲面を生成する部分曲面生成手段と、（４）複数の部分曲面のうちの少なくとも１つの部分曲面を評価対象とするとともに、評価対象とされた部分曲面上に、それぞれ複数の評価点を設定する評価点設定手段と、（５）評価対象とされた部分曲面について、その部分曲面上に設定された複数の評価点それぞれでの光源からの光の反射条件に基づいて部分曲面からの配光パターンを算出する配光パターン算出手段と、算出された配光パターンを表示して、反射面の評価に用いられる評価画面を作成する評価画面作成手段を含み、作成された評価画面の表示を指示する画面表示指示手段とを有する配光パターン表示指示手段と、評価画面を表示する表示手段とを備えることを特徴とする。
【００１１】
また、本発明による記録媒体は、車両用灯具に用いられる反射鏡の反射面を配光パターンによって評価する反射面評価をコンピュータに実行させるためのプログラムを記録したコンピュータ読取可能な記録媒体であって、（ａ）評価対象となる反射鏡の反射面に対して、光源が配置される光源位置を通る光軸を含む第１平面と、反射面との交線によって、第１曲線を生成する第１曲線生成処理と、（ｂ）第１曲線上に設定された複数の分割点のそれぞれにおいて、その分割点での光源からの光の反射方向に平行で、第１平面に直交する第２平面と、反射面との交線によって、第２曲線を生成する第２曲線生成処理と、（ｃ）第１曲線及び複数の第２曲線によって反射面を分割して、複数の部分曲面を生成する部分曲面生成処理と、（ｄ）複数の部分曲面のうちの少なくとも１つの部分曲面を評価対象とするとともに、評価対象とされた部分曲面上に、それぞれ複数の評価点を設定する評価点設定処理と、（ｅ）評価対象とされた部分曲面について、その部分曲面上に設定された複数の評価点それぞれでの光源からの光の反射条件に基づいて部分曲面からの配光パターンを算出して、表示手段に表示する配光パターン表示処理とをコンピュータに実行させるためのプログラムを記録したことを特徴とする。
【００１２】
上記した車両用灯具の反射鏡の反射面評価方法、反射面評価システム、及び記録媒体に記録されたプログラムにおいては、光軸を含む第１平面（ＸＹ平面、例えば水平面）上の第１曲線（ＸＹ曲線）と、第１曲線上の複数の分割点をそれぞれ通る複数の第２曲線（ＸＺ曲線）とによって反射面を分割して、複数の部分曲面を生成する。そして、部分曲面ごとに配光パターンを算出し表示して、配光パターンの評価を行っている。このように反射面を複数の部分曲面に分割して反射面評価を行うことにより、反射面と配光パターンとの対応が明確化される。
【００１３】
特に、複数の第２曲線のそれぞれを、対応する分割点での反射方向に平行かつ第１平面に直交する第２平面（ＵＺ平面）上で生成している。このとき、個々の部分曲面では、その部分曲面上の各点からの反射光の反射方向、すなわち灯具からの光の出射方向がほぼ揃うこととなる。したがって、反射面の各面部分と配光パターンの各パターン部分との対応付けが簡単化される。
【００１４】
また、部分曲面からの配光パターンの算出において、各部分曲面に対して評価点を設定している。これにより、配光パターンの算出を効率的に行うことができる。なお、評価点の点数については、複数点とすることが好ましい。
【００１５】
このような反射面評価方法及び反射面評価システムを、反射鏡の反射面設計時に用いた場合、要求される配光パターンを実現するための反射面の設計手順や、再設計時の反射面の調整方法などが、評価結果に基づいて容易に判断可能となる。したがって、反射面設計時の配光パターンの制御性が向上されて、設計作業の効率が向上される。
【００１６】
また、反射面評価方法（記録媒体に記録されたプログラム）は、第２曲線生成ステップ（第２曲線生成処理）が、複数の分割点を設定するための第１曲線の分割数を指定する分割数指定ステップ（分割数指定処理）と、複数の分割点のそれぞれの位置となる第１曲線上の分割位置を指定する分割位置指定ステップ（分割位置指定処理）とを含むことを特徴とする。
【００１７】
これにより、複数の第２曲線それぞれを生成する基点となる第１曲線上の複数の分割点を、好適かつ効率的に設定することができる。また、これらの分割数及び分割位置については、自動による指定または評価者による入力に基づいて指定することが可能である。
【００１８】
また、反射面評価方法（記録媒体に記録されたプログラム）は、配光パターン表示ステップ（配光パターン表示処理）において、複数の部分曲面が評価対象とされている場合に、複数の部分曲面のそれぞれからの配光パターンを区別可能に表示することを特徴とする。
【００１９】
同様に、反射面評価システムは、評価画面作成手段において、複数の部分曲面が評価対象とされている場合に、複数の部分曲面のそれぞれからの配光パターンが区別可能に表示される構成として評価画面を作成することを特徴とする。
【００２０】
これにより、複数の部分曲面について、それぞれからの配光パターンを区別しつつ、１つの評価画面から一度に評価を行うことが可能となる。同時に、各部分曲面からの配光パターンのつながり状態などを含め、反射面全体での配光パターンについても評価することができる。
【００２１】
また、反射面評価方法（記録媒体に記録されたプログラム）は、配光パターン表示ステップ（配光パターン表示処理）において、部分曲面上に設定された複数の評価点それぞれでの反射条件に基づいて、光源の発光領域からの光が反射されて得られる発光領域像を用いて配光パターンを算出及び表示することを特徴とする。
【００２２】
同様に、反射面評価システムは、配光パターン算出手段において、部分曲面上に設定された複数の評価点それぞれでの反射条件に基づいて、光源の発光領域からの光が反射されて得られる発光領域像を用いて配光パターンを算出するとともに、評価画面作成手段において、発光領域像を用いて配光パターンが表示される構成として評価画面を作成することを特徴とする。
【００２３】
このように、光源バルブでの発光領域の形状を考慮して配光パターンを算出及び表示することによって、配光パターンによる反射面の評価をより正確に行うことが可能となる。なお、光源バルブとしては、具体的には白熱ランプ、ハロゲンランプ、放電ランプなどが用いられ、それぞれのバルブの種類に応じて、フィラメント形状またはアーク形状などが発光領域の形状となる。
【００２４】
また、反射面評価方法（記録媒体に記録されたプログラム）は、評価点設定ステップ（評価点設定処理）において、評価対象とされた部分曲面上を、第１曲線の方向と第２曲線の方向とに沿ってそれぞれ所定の区分数で区分して、略等間隔で２次元に配列された複数の評価点を設定することを特徴とする。
【００２５】
同様に、反射面評価システムは、評価点設定手段において、評価対象とされた部分曲面上を、第１曲線の方向と第２曲線の方向とに沿ってそれぞれ所定の区分数で区分して、略等間隔で２次元に配列された複数の評価点を設定することを特徴とする。
【００２６】
これにより、それぞれの部分曲面上の各面部分を、効率的に評価することができる。
【００２７】
【発明の実施の形態】
以下、図面とともに本発明による車両用灯具の反射鏡の反射面評価方法、反射面評価システム、及び車両用灯具の反射鏡の反射面評価をコンピュータに実行させるためのプログラムを記録したコンピュータ読取可能な記録媒体の好適な実施形態について詳細に説明する。なお、図面の説明においては同一要素には同一符号を付し、重複する説明を省略する。また、図面の寸法比率は、説明のものと必ずしも一致していない。
【００２８】
まず、本発明による車両用灯具の反射鏡の反射面評価方法の概略について説明する。図１は、本発明による車両用灯具の反射鏡の反射面評価方法を概略的に示す模式図である。図１中、符号ＲＳは、評価対象となる反射面（設計された反射面の面形状）を、符号Ｆは、光を供給する光源（光源バルブ）が配置される光源位置を、また、符号Ａｘは、光源位置Ｆを通り光源バルブからの光が反射鏡によって反射される方向となる光軸をそれぞれ示している。これらの光源位置Ｆ及び光軸Ａｘは、反射面評価、または反射面評価を含む反射面設計の基本条件としてあらかじめ与えられる。
【００２９】
以下に説明する反射面評価方法及び反射面評価システムを用いて評価される反射面ＲＳは、光源バルブ、反射鏡、及びレンズからなる前照灯やフォグランプなどの車両用灯具において、光源バルブからの光を反射し、レンズを介して灯具から出射させる反射鏡の反射面として用いられるものである。
【００３０】
また、以下においては、図１にＸ、Ｙ、Ｚの座標軸をそれぞれ示すように、光軸Ａｘの方向である灯具の前後方向をＸ軸とする。また、このＸ軸に直交し後述するように反射面ＲＳの分割方向となる軸（例えば、灯具の水平方向）をＹ軸とし、Ｘ軸及びＹ軸に直交する軸（例えば、灯具の垂直方向）をＺ軸とする。
【００３１】
本発明による反射面評価方法及び反射面評価システムは、反射面ＲＳを複数の部分曲面に分割するとともに、それぞれの部分曲面からの配光パターンによって反射面ＲＳを評価するものである。反射面ＲＳの分割には、Ｘ軸（光軸Ａｘ）を含む第１平面であるＸＹ平面上に生成されるＸＹ曲線（第１曲線）Ｑと、ＸＹ曲線Ｑ上の複数の点（分割点）からそれぞれほぼＺ軸方向に伸びる複数のＸＺ曲線（第２曲線）Ｒとが用いられる。
【００３２】
単一の第１曲線であるＸＹ曲線Ｑは、ＸＹ平面と反射面ＲＳとの交線によって生成された曲線からなる。このＸＹ曲線Ｑは、反射面ＲＳを部分曲面に分割する基本曲線となるものであり、ＸＹ曲線Ｑ上には、反射面ＲＳの分割に用いる複数の分割点Ｄが設定される。図１においては、例として、Ｘ軸上にある分割点Ｄ0を含む１２個の分割点Ｄ-5〜Ｄ6が、ＸＹ曲線Ｑ上に示されている。
【００３３】
また、複数の第２曲線であるＸＺ曲線Ｒは、ＸＹ曲線Ｑ上にある複数の分割点Ｄそれぞれから、反射面ＲＳ上でほぼＺ軸方向に伸びる曲線からなる。図１においては、例として、上記した分割点Ｄ-5〜Ｄ6それぞれから、Ｚ軸方向に伸びる１２本のＸＺ曲線Ｒ-5〜Ｒ6が示されている。
【００３４】
配光パターンによる評価の対象とされている反射面ＲＳは、これらのＸＹ曲線Ｑ及び複数のＸＺ曲線Ｒ-5〜Ｒ6によって、複数の部分曲面Ｓに分割される。また、それぞれの部分曲面Ｓ上には、配光パターンの評価に用いる評価点Ｐが少なくとも１点、好ましくは複数点設定される。
【００３５】
そして、光源位置Ｆからの光の評価点Ｐでの反射条件に基づいて算出される、各部分曲面Ｓからの配光パターンによって、反射面ＲＳの評価が行われる。図１においては、例として、ＸＹ曲線Ｑ及び２本のＸＺ曲線Ｒ2、Ｒ3によって分割された部分曲面Ｓ3（斜線部分）、この部分曲面Ｓ3上に設定された評価点Ｐ3、及び評価点Ｐ3で反射される光の光路が示されている。
【００３６】
以下、複数の部分曲面Ｓの生成と、各部分曲面Ｓからの配光パターンの算出及び表示とを含む反射面ＲＳの評価を実行するための反射面評価方法、及び反射面評価システムについて説明する。
【００３７】
ここで、光源位置Ｆに配置された光源バルブから供給された光（入射光）の反射面ＲＳへの入射角度α、及び反射面ＲＳで反射された反射光の光軸Ａｘからみた反射角度βについて、図２を用いて定義しておく。
【００３８】
入射角度α及び反射角度βは、図２に示すように、光軸ＡｘであるＸ軸に対してＸＹ平面上で定義される。入射角度αは、光源位置ＦからＸＹ曲線Ｑ（反射面ＲＳ）上の点Ａへの入射光の光路とＸ軸とがなす角度によって、Ｘ軸の負の方向を０°として定義される。また、反射角度βは、ＸＹ曲線Ｑ上の点Ａからの反射光の光路とＸ軸とがなす角度によって、Ｘ軸の正の方向を０°として定義される。図２においては、ＸＹ曲線Ｑ上の点Ａ1、Ａ2において、入射角度がα1、α2、反射角度がβ1、β2でそれぞれ反射される２つの光路ｌ1、ｌ2を、例として示してある。
【００３９】
まず、反射面ＲＳを評価するための反射面評価方法について説明する。図３及び図４は、本発明による車両用灯具の反射鏡の反射面評価方法の一実施形態を示すフローチャートである。ここで、図３は、反射面評価の各ステップのうち、反射面ＲＳの複数の部分曲面Ｓへの分割等について示している。また、図４は、各部分曲面Ｓからの配光パターンの算出等について示している。図４に示すフローチャートは、例えば、図３に示すフローチャートに引き続いて行われる。
【００４０】
なお、以下においては、反射面ＲＳのうち、Ｙ≧０かつＺ≧０のＹＺ平面での第１象限内にある面部分（図１での右上部分）の反射面形状の評価を例として説明する。ただし、他の象限内の面部分についても、同様な方法で面形状を評価することができる。
【００４１】
まず、反射面ＲＳの複数の部分曲面Ｓへの分割等を含む、図３に示すフローチャートについて説明する。
【００４２】
最初に、反射面ＲＳの評価の基本的な諸条件（パラメータ）を設定する（ステップＳ１００）。この基本的なパラメータとしては、光源位置Ｆや光軸Ａｘなどがある。反射面評価に用いる座標系では、通常は図１に示したように、光源位置Ｆが原点、光軸ＡｘがＸ軸（一方の軸）とされる。また、反射面ＲＳの面形状を特定するためのデータは、評価対象のデータとしてあらかじめ与えられる。
【００４３】
続いて、反射面ＲＳを分割するための第１曲線であるＸＹ曲線Ｑを生成する（Ｓ１０１、第１曲線生成ステップ）。このＸＹ曲線Ｑは、光軸ＡｘであるＸ軸、及び反射面ＲＳの分割方向となるＹ軸を含むＸＹ平面と、反射面ＲＳとの交線によって生成される。Ｘ軸に対するＹ軸の方向は、評価者によって指定されるか、または、反射面ＲＳの面形状のデータなどと同様にあらかじめ与えられる。
【００４４】
ＸＹ曲線Ｑが生成されたら、ＸＹ曲線Ｑに対して、ほぼＺ軸方向に伸びる複数の第２曲線であるＸＺ曲線Ｒを生成する（Ｓ１０２、第２曲線生成ステップ）。このＸＺ曲線Ｒのそれぞれは、ＸＹ曲線Ｑ上の対応する分割点Ｄを通る曲線として生成される。本実施形態においては、この第２曲線生成ステップは、Ｓ１０３〜Ｓ１０５の３つのステップで行われる。
【００４５】
まず、複数の分割点Ｄを設定するためのＸＹ曲線Ｑの分割数を指定する（Ｓ１０３、分割数指定ステップ）。この分割数は、分割数自体によって指定しても良いし、あるいは、ＸＹ曲線Ｑを分割して設定される分割点Ｄの個数によって指定することもできる（ただし、分割点個数＝分割数＋１）。ここでは、ＸＹ曲線Ｑの分割数がｎとして指定されたものとする。
【００４６】
分割数ｎが指定されたら、ＸＹ曲線Ｑ上に設定される複数（ｎ＋１個）の分割点Ｄのそれぞれの位置となる分割位置を指定する（Ｓ１０４、分割位置指定ステップ）。この分割位置は、例えば、各分割点ＤのＹ座標によって指定される。あるいは、各分割点Ｄでの光源位置Ｆからの光の入射角度αによって指定しても良い。そして、指定された分割位置に基づいて、ＸＹ曲線Ｑ上に、複数の分割点Ｄ0〜Ｄnが設定される。
【００４７】
次に、複数の分割点Ｄ0〜Ｄnに対して、それぞれの分割点Ｄi（ｉ＝０〜ｎ）を通る第２曲線であるＸＺ曲線Ｒi（ｉ＝０〜ｎ）を生成する（Ｓ１０５）。ＸＺ曲線Ｒiは、対応する分割点Ｄiでの、光源位置Ｆに配置された光源からの光の反射方向に平行で、かつ、ＸＹ平面に直交する第２平面（後述するＵＺ平面）と、反射面ＲＳとの交線によって生成される。以上により、複数のＸＺ曲線Ｒ0〜Ｒnが生成される。
【００４８】
そして、ＸＹ曲線Ｑ、及び複数のＸＺ曲線Ｒ0〜Ｒnを生成したら、それらの曲線Ｑ、Ｒ0〜Ｒnによって、反射面ＲＳをｎ個の面部分に分割して、複数の部分曲面Ｓ1〜Ｓnを生成する（Ｓ１０６、部分曲面生成ステップ）。この反射面ＲＳを分割した部分曲面Ｓi（ｉ＝１〜ｎ）が、反射面ＲＳによって得られる配光パターンの評価に用いられる。
【００４９】
ここで、ステップＳ１０５におけるＸＺ曲線Ｒiの生成方法について、図５を参照して具体的に説明しておく。
【００５０】
ＸＺ曲線Ｒiは、上述したように、光源位置Ｆに配置された光源からの光の対応する分割点Ｄiでの反射方向に平行で、かつ、ＸＹ平面に直交する第２平面であるＵＺ平面と、反射面ＲＳとの交線によって生成される。このＵＺ平面は、各分割点Ｄiごとに設定される。また、各分割点Ｄiでの光の反射方向は、例えば、分割点Ｄiにおける反射角度βiによって指定される。この反射方向は、各分割点に対してパラメータとしてあらかじめ与えられるか、または、評価対象となっている反射面ＲＳの面形状及び光源位置Ｆから、光線追跡等を行うことによって算出される。
【００５１】
図５は、分割点番号ｉの分割点Ｄiを通るＸＺ曲線Ｒiの生成方法について、その一例を示している。この例では、まず、ＸＹＺ座標軸に対して、Ｘ軸に代えてＵi軸を、また、Ｙ軸に代えてＶi軸を設定する。Ｕi軸は、分割点Ｄiでの反射角度βiで指定される反射方向に平行で、Ｚ軸に直交する軸として設定される。また、Ｖi軸は、Ｕi軸及びＺ軸に直交する軸として設定される。
【００５２】
上記したＵi軸及びＺ軸から、分割点Ｄiを含む平面として、図５に示すＵiＺ平面（分割点Ｄiに対するＵＺ平面）を設定する。そして、このＵiＺ平面と反射面ＲＳとの交線によって、分割点Ｄiを通るＸＺ曲線Ｒiが生成される。
【００５３】
他の分割点Ｄについてもそれぞれ同様にＵＺ平面が設定され、ＸＺ曲線Ｒが生成される。そして、反射面ＲＳは、これらのＸＺ曲線Ｒ0〜Ｒnによって分割されて、部分曲面Ｓ1〜Ｓnが生成される。具体的には、図５に示すように、ＸＹ曲線Ｑ及び２本のＸＺ曲線Ｒi-1、Ｒiによって分割された反射面ＲＳの面部分が、それぞれ部分曲面Ｓi（ｉ＝１〜ｎ）とされる。
【００５４】
次に、各部分曲面Ｓからの配光パターンの算出等を含む、図４に示すフローチャートについて説明する。
【００５５】
反射面ＲＳを分割して生成された複数の部分曲面Ｓ1〜Ｓnに対して、配光パターンの評価対象となる部分曲面Ｓi上に、配光パターンの算出に用いる評価点を設定する（Ｓ２０１、評価点設定ステップ）。本実施形態においては、この評価点設定ステップは、Ｓ２０２〜Ｓ２０４の３つのステップで行われる。
【００５６】
まず、配光パターンによる反射面ＲＳの評価を行う評価対象となる部分曲面Ｓを選択する（Ｓ２０２）。この評価対象としては、生成された複数の部分曲面Ｓ1〜Ｓnのうちから、少なくとも１つの部分曲面が選択される。選択される部分曲面の個数については、例えば、評価が必要な１または複数の部分曲面を選択しても良いし、すべての部分曲面を選択して反射面ＲＳの全体の評価を行うことも可能である。
【００５７】
次に、評価対象とされた部分曲面Ｓ上での評価点の設定方法を指定する（Ｓ２０３）。そして、指定された設定方法に基づいて、部分曲面Ｓ上に評価点Ｐを設定する（Ｓ２０４）。評価点Ｐの設定方法としては、ＸＹ曲線Ｑの方向とＸＺ曲線Ｒの方向とに沿って、それぞれ所定の区分数で部分曲面Ｓ上を区分して、略等間隔で２次元（または１次元）に配列された複数の評価点を設定することが好ましい。図５には、例として、ＸＹ曲線Ｑの方向に３等分、ＸＺ曲線Ｒi-1、Ｒiの方向に３等分する部分曲面Ｓiの区分領域が点線で示されている。そして、この３×３の領域への区分に対して、各領域の中心点によって、部分曲面Ｓiに対する３×３＝９個の評価点Ｐiが設定されている。
【００５８】
評価点Ｐiを設定したら、評価対象とされている部分曲面Ｓiからの配光パターンの算出及び表示を行う（Ｓ２０５、配光パターン表示ステップ）。本実施形態においては、この配光パターン表示ステップは、Ｓ２０６〜Ｓ２０８の３つのステップで行われる。
【００５９】
まず、評価対象とされた部分曲面Ｓiについて、その部分曲面Ｓiからの配光パターンを算出する（Ｓ２０６、配光パターン算出ステップ）。この配光パターンは、部分曲線Ｓi上に設定された評価点Ｐiそれぞれでの光源からの光の反射条件に基づいて算出される。
【００６０】
配光パターンの算出の具体例としては、まず、反射面ＲＳ（あるいは光源位置Ｆ）から光軸Ａｘの方向に所定距離（例えば１０ｍ）だけ離れた位置に、配光パターン評価平面（例えばＹＺ平面に平行な平面）を設定する。そして、光源位置Ｆに位置する光源から出射された光が部分曲面Ｓi上（反射面ＲＳ上）の評価点Ｐiで反射される光路を光線追跡によって求め、評価点Ｐiで反射された光の評価平面への到達位置（入射位置）を算出する。この反射光の到達位置の算出を、部分曲面Ｓiに対して設定されたすべての評価点Ｐiについて行うことによって、評価平面上における部分曲面Ｓiからの配光パターンが得られる。
【００６１】
配光パターンを算出したら、算出された配光パターンを表示するとともに反射面ＲＳの評価に用いられる評価画面を作成する（Ｓ２０７、評価画面作成ステップ）。そして、作成された評価画面を表示手段に表示する（Ｓ２０８、評価画面表示ステップ）。
【００６２】
上記した車両用灯具の反射鏡の反射面評価方法においては、光軸Ａｘを含むＸＹ平面（例えば水平面）上のＸＹ曲線Ｑと、ＸＹ曲線Ｑ上の複数の分割点Ｄをそれぞれ通る複数のＸＺ曲線Ｒとによって反射面ＲＳを分割して、複数の部分曲面Ｓを生成する。そして、部分曲面Ｓごとに配光パターンを算出し表示して、配光パターンの評価を行っている。このように反射面ＲＳを複数の部分曲面Ｓに分割して反射面評価を行うことにより、反射面ＲＳと配光パターンとの対応が明確化される。
【００６３】
特に、複数のＸＺ曲線Ｒのそれぞれを、対応する分割点Ｄでの反射方向に平行かつＸＹ平面に直交するＵＺ平面上で生成している。このとき、個々の部分曲面Ｓでは、その部分曲面Ｓ上の各点からの反射光の反射方向、すなわち灯具からの光の出射方向がほぼ揃うこととなる。したがって、反射面ＲＳの各面部分と、その反射面ＲＳによって得られる配光パターンの各パターン部分との対応付けが簡単化される。
【００６４】
また、部分曲面Ｓからの配光パターンの算出において、各部分曲面Ｓに対して評価点Ｐを設定している。これにより、配光パターンの算出を効率的に行うことができる。
【００６５】
このような反射面評価方法を、反射鏡の反射面設計時に用いた場合、要求される配光パターンを実現するための反射面の設計手順や、再設計時の反射面の調整方法などが、評価結果に基づいて容易に判断可能となる。したがって、反射面設計時の配光パターンの制御性が向上されて、設計作業の効率が向上される。
【００６６】
各部分曲面Ｓ上での評価点Ｐの設定については、部分曲面Ｓからの配光パターンを確実に評価するため、評価点の点数を複数点とすることが好ましい。また、その設定方法については、図５に示した例のように、略等間隔で２次元（または１次元）に配列された複数の評価点とすることによって、部分曲面Ｓ上の各面部分を効率的に評価することができる。
【００６７】
次に、図３及び図４に示した反射面評価方法の実行に用いられる反射面評価システムについて説明する。図６は、本発明による車両用灯具の反射鏡の反射面評価システムの一実施形態の構成を示すブロック図である。
【００６８】
図６に示す反射面評価システム１は、評価対象である反射面ＲＳを、その反射面ＲＳの面形状を用いて得られる配光パターンによって評価する反射面評価部（反射面評価手段）４と、評価結果である配光パターンを表示手段である画面表示部（表示手段）７に表示するための画面表示指示部（画面表示指示手段）５とを備えて構成されている。
【００６９】
反射面評価部４は、ＸＹ曲線Ｑを生成するＸＹ曲線生成部（第１曲線生成手段）４１と、分割点Ｄ0〜Ｄnを設定するとともにＸＺ曲線Ｒ0〜Ｒnを生成するＸＺ曲線生成部（第２曲線生成手段）４２と、生成されたＸＹ曲線Ｑ及びＸＺ曲線Ｒ0〜Ｒnによって反射面ＲＳを分割して部分曲面Ｓ1〜Ｓnを生成する部分曲面生成部（部分曲面生成手段）４３とを有している。
【００７０】
これらの各生成部４１〜４３は、それぞれ図３のフローチャートにおける各生成ステップＳ１０１、Ｓ１０２（Ｓ１０３〜Ｓ１０５）、及びＳ１０６に対応し、それらの機能をそれぞれ実現する手段となっている。
【００７１】
また、反射面評価部４は、さらに、評価対象とされた部分曲面Ｓi上に評価点Ｐiを設定する評価点設定部（評価点設定手段）４４と、部分曲面Ｓiからの配光パターンを算出する配光パターン算出部（配光パターン算出手段）４５とを有している。また、画面表示指示部５は、配光パターン算出部４５で算出された配光パターンのデータ、あるいはさらに、部分曲面生成部４３で生成された部分曲面Ｓiのデータなどに基づいて、評価結果を表示するための評価画面を作成する評価画面作成部（評価画面作成手段）５１を有している。
【００７２】
評価点設定部４４は、図４のフローチャートにおける設定ステップＳ２０１（Ｓ２０２〜Ｓ２０４）に対応し、その機能を実現する手段となっている。また、配光パターン算出部４５及び画面表示指示部５は、表示ステップＳ２０５（Ｓ２０６〜Ｓ２０８）に対応し、さらに具体的には、配光パターン算出部４５は、算出ステップＳ２０６に、また、画面表示指示部５は、作成ステップＳ２０７及び表示ステップＳ２０８に対応し、それらの機能をそれぞれ実現する手段となっている。本実施形態においては、これらの配光パターン算出部４５と、評価画面作成部５１を含む画面表示指示部５とによって、配光パターン表示指示手段が構成されている。
【００７３】
また、本実施形態の反射面評価システム１は、パラメータ入力部２と、反射面入力部６とをさらに備えている。
【００７４】
パラメータ入力部２は、複数のＸＺ曲線Ｒを生成する際の分割数や分割位置、部分曲面Ｓ上での評価点Ｐの設定方法（例えば区分数）など、反射面評価に必要なパラメータを評価者に入力させる場合に用いられる（図３及び図４参照）。ただし、これらの各パラメータの全部または一部は、反射面評価部４において自動的に指定される構成であっても良い。
【００７５】
また、反射面入力部６からは、評価対象となる反射面ＲＳの面形状を特定するためのデータが入力される。また、光源位置Ｆや光軸Ａｘなどが反射面ＲＳの面形状と関連して定められている場合には、それらのパラメータも同時に入力されることとしても良い。
【００７６】
図７は、図６に示した反射面評価システム１に用いられるハードウェア構成の一例を示すブロック図である。図３及び図４に示した反射面評価方法における各ステップに対応する各処理、及び、図６に示した反射面評価システムにおける各部のソフトウェア的処理機能（例えば、ＸＹ曲線生成部４１によるＸＹ曲線生成処理などの各処理）は、ＣＰＵ１０によって行われる。
【００７７】
このＣＰＵ１０には、本システム１の処理動作に必要な各ソフトウェアプログラムなどが記憶されているＲＯＭ１１と、プログラム実行中に一時的にデータが記憶されるＲＡＭ１２とが接続されている。また、ハードディスクなどの外部記憶装置１３が接続されており、入力されたパラメータなどの各データの保持に用いられる。
【００７８】
そして、これらのＣＰＵ１０等に対して、パラメータ入力部２の機能の実現などに用いられる入力装置１４と、画面表示部７の機能の実現などに用いられる表示装置１５とが接続されて、本反射面評価システム１が構成されている。入力装置１４としては、例えば、マウスなどのポインティングデバイスやキーボードなどが用いられる。また、表示装置１５としては、例えば、ＣＲＴディスプレイや液晶ディスプレイなどが用いられる。
【００７９】
また、上記した反射面評価方法及び反射面評価システムに対応してＣＰＵ１０によって行われる各処理を実現する反射面評価用のプログラムは、コンピュータ読取可能な記録媒体に記録して頒布することが可能である。このような記録媒体には、例えば、ハードディスク及びフロッピーディスクなどの磁気媒体、ＣＤ−ＲＯＭ及びＤＶＤ−ＲＯＭなどの光学媒体、フロプティカルディスクなどの磁気光学媒体、あるいは、プログラム命令を実行または格納するように特別に配置された、例えばＲＡＭ、ＲＯＭ、及び半導体不揮発性メモリなどのハードウェアデバイスなどが含まれる。また、このような記録媒体からのプログラムの読取または実行に対し、図７に示すように、必要に応じて、記録媒体からプログラム等を読み取る記録媒体読取用のドライブ１６（例えばフロッピーディスクドライブなど）をＣＰＵ１０に対して接続しておいても良い。
【００８０】
次に、図６に示す反射面評価システム１において、評価画面作成部５１で作成されるとともに画面表示部７に表示される評価画面について、その構成の具体例を示しつつ説明する。
【００８１】
図８は、反射面ＲＳを評価するための配光パターンを評価者に対して表示する評価画面の構成の一例を示す図である。図８に示す評価画面７１は、反射面ＲＳ及び部分曲面生成部４３で生成された部分曲面Ｓと、配光パターン算出部４５で算出された配光パターンとを合わせて表示するように構成されている。ただし、両者のスケールは、見易いようにそれぞれ適当に設定されている。
【００８２】
評価画面７１では、ＹＺ平面に平行な配光パターンの評価平面に対応して、Ｙ軸及びＺ軸からなる２次元の座標系が示されており（図１参照）、その座標系内に、配光パターン７１０が表示されている。また、そのＹＺ座標系の第１象限には、光軸Ａｘ方向からみた反射面ＲＳに対応する反射面像７１５と、それを分割した部分曲面Ｓ1〜Ｓ4に対応する部分曲面像７１６〜７１９とが表示されている。
【００８３】
この評価画面７１に表示されている配光パターン７１０は、反射面ＲＳのうちで最も内側の部分曲面Ｓ1からの配光パターンを示すものである。これに対応して、反射面像７１５においては、部分曲面像７１６が他の部分曲面像とは異なる表示方法（例えば太線や異なるカラーでの表示）で示されている。
【００８４】
図９は、評価画面の他の例を示す図である。図９に示す評価画面７２は、図８に示した評価画面７１と同様の構成となっており、ＹＺ座標系内に、配光パターン７２０が表示されている。また、そのＹＺ座標系の第１象限には、反射面ＲＳに対応する反射面像７２５と、部分曲面Ｓ1〜Ｓ4に対応する部分曲面像７２６〜７２９とが表示されている。
【００８５】
この評価画面７２に表示されている配光パターン７２０は、反射面ＲＳのうちで内側から３番目の部分曲面Ｓ3からの配光パターンを示すものである。これに対応して、反射面像７２５においては、部分曲面像７２８が他の部分曲面像とは異なる表示方法（例えば太線や異なるカラーでの表示）で示されている。
【００８６】
これらの評価画面７１、７２に示す例のように、部分曲面Ｓからの配光パターンを評価画面に表示することにより、評価者（設計者）は、配光パターンの各パターン部分を、それぞれ反射面ＲＳの各面部分と対応付けて評価することができる。特に、分割点Ｄでの光の反射方向に基づいて反射面ＲＳを部分曲面Ｓへと分割しているので、反射面ＲＳと配光パターンとの対応が簡単化されている。
【００８７】
なお、評価画面７１、７２では、配光パターンと合わせて反射面像等をも表示しているが、これ以外にも、配光パターンのみを表示したり、対応する部分曲面の番号のみを合わせて表示する構成などを用いても良い。
【００８８】
また、複数の部分曲面Ｓからの配光パターンを１つの評価画面に表示することも可能である。そのような評価画面の例を図１０に示す。図１０に示す評価画面７３は、評価画面７１に示した部分曲面Ｓ1からの配光パターン７１０と、評価画面７２に示した部分曲面Ｓ3からの配光パターン７２０とを合わせて、配光パターン７３０として表示するものである。これにより、複数の部分曲面Ｓを合わせた配光パターンを評価することができる。また、すべての部分曲面Ｓを選択した場合には、反射面ＲＳ全体からの配光パターンを評価することができる。
【００８９】
また、この評価画面７３では、配光パターン７３０のうち、部分曲面Ｓ1からの配光パターン７３０ａと、部分曲面Ｓ3からの配光パターン７３０ｂとを、異なる表示方法（例えば太線や異なるカラーでの表示、図１０中では実線及び点線）で区別可能に表示している。これにより、複数の部分曲面Ｓについて、それぞれからの配光パターンを表示方法によって区別しつつ、１つの評価画面から一度に評価を行うことができる。同時に、各部分曲面Ｓからの配光パターンのつながり状態などを含め、複数の部分曲面Ｓを合わせた配光パターンについても評価することが可能となる。同様の配光パターンの表示は、３つ以上の部分曲面Ｓを選択した場合にも同様に可能である。
【００９０】
ここで、図８〜図１０に示す配光パターン７１０、７２０、７３０では、具体的には、各部分曲面ＳをＸＹ曲線Ｑの方向に６等分、ＸＺ曲線Ｒの方向に３等分し、６×３＝１８点の評価点Ｐを設定して配光パターンを算出した例を示している。
【００９１】
ただし、図８に示す部分曲面Ｓ1からの配光パターン７１０（図１０に示す配光パターン７３０ａ）においては、それらの評価点Ｐのうち、ＸＹ平面に近い下方に位置する６点については、光源バルブの挿入孔が設けられて実際には反射面が形成されない。このため、配光パターン７１０では、部分曲面Ｓ1の中央に位置する６点の評価点Ｐからの６個の光像７１２、及び上方に位置する６点の評価点Ｐからの６個の光像７１３の、１２個の光像が表示されている。
【００９２】
一方、図９に示す部分曲面Ｓ3からの配光パターン７２０（図１０に示す配光パターン７３０ｂ）では、部分曲面Ｓ3の下方に位置する６点の評価点Ｐからの６つの光像７２１、中央に位置する６点の評価点Ｐからの６つの光像７２２、及び上方に位置する６点の評価点Ｐからの６つの光像７２３の、１８個の光像が表示されている。
【００９３】
これらの各評価点Ｐからの光像は、図８〜図１０に示すように各部分曲面において反射方向がほぼ揃っており、また、ほぼＹ軸方向に沿って反射方向が順次変化するようになっている。
【００９４】
また、図８〜図１０の評価画面７１〜７３では、配光パターンを表示するためのこれらの光像を、光源のフィラメントからの光が反射されて得られる略矩形状のフィラメント像を用いてそれぞれ算出及び表示している。このように、光源バルブのフィラメント形状を考慮して配光パターンを算出及び表示することによって、配光パターンによる反射面ＲＳの評価をより正確に行うことができる。
【００９５】
ただし、配光パターンの表示方法としては、このようなフィラメント像を用いる方法以外にも、様々な方法を用いて良い。例えば、図１１の評価画面７４では、反射面ＲＳの部分曲面Ｓ1〜Ｓ4全体からの配光パターン７４０を、等照度曲線を用いて表示した例を示してある。
【００９６】
また、光源バルブとしては、白熱ランプ、ハロゲンランプ、放電ランプなどの各種のランプが用いられるが、上記したフィラメント像については、一般には、それぞれのバルブの種類に応じた発光領域による発光領域像を用いることが好ましい。例えば、放電ランプを光源バルブとした場合には、発光領域であるアークの形状を考慮し、アークからの光によるアーク像を用いた配光パターンとすることができる。
【００９７】
上述した反射面評価は、反射面ＲＳの評価のみを行うのではなく、反射面ＲＳの設計と連動させて、必要に応じて配光パターンでの評価を実行しつつ反射面ＲＳの設計を行う構成とすることも可能である。
【００９８】
図１２は、本発明による車両用灯具の反射鏡の反射面評価システムの他の実施形態の構成を示すブロック図である。この反射面評価システムは、図６に示した反射面評価システムと同様に反射面ＲＳの配光パターンによる評価を行うとともに、反射面ＲＳの面形状を設計する反射面設計システムを兼ねるように構成されている。
【００９９】
図１２に示す反射面評価システム１は、反射面ＲＳを生成する反射面生成部３と、生成された反射面ＲＳを評価対象として配光パターンによる評価を行う反射面評価部４と、評価結果である配光パターンを画面表示部７に表示するための画面表示指示部５とを備えて構成されている。
【０１００】
反射面生成部３は、反射面ＲＳを生成する基点となる複数の基点（反射面評価での分割点に相当）Ｄ0〜Ｄnの基点位置を決定するとともに、反射面ＲＳの面形状を生成する一方の骨格となるＸＹ曲線Ｑを生成するＸＹ曲線生成部３１と、反射面ＲＳの面形状を生成する他方の骨格となるＸＺ曲線Ｒ0〜Ｒnを生成するＸＺ曲線生成部３２と、生成されたＸＹ曲線Ｑ及びＸＺ曲線Ｒ0〜Ｒnに基づいて反射面ＲＳの面形状を生成する面形状生成部３３とを有している。
【０１０１】
この反射面生成部３では、複数の基点Ｄ0〜Ｄnそれぞれに対して必要なパラメータ（例えば、各基点のＹ座標、及び各基点での光の反射方向）を指定するとともに、指定されたパラメータに基づいて、ＸＹ曲線生成部３１及びＸＺ曲線生成部３２においてＸＹ曲線Ｑ及び複数のＸＺ曲線Ｒ0〜Ｒnを生成する。特に、ＸＺ曲線Ｒiは、対応する基点Ｄiでの、光源位置Ｆに配置された光源からの光の反射方向に平行で、かつ、ＸＹ平面に直交する第２平面上に生成される。そして、面形状生成部３３においてこれらのＸＹ曲線Ｑ及びＸＺ曲線Ｒ0〜Ｒnを骨格として曲面を張ることによって、反射面ＲＳを生成する。
【０１０２】
一方、反射面評価部４は、反射面ＲＳを分割して部分曲面Ｓ1〜Ｓnを生成する部分曲面生成部４３と、評価対象とされた部分曲面Ｓi上に評価点Ｐiを設定する評価点設定部４４と、部分曲面Ｓiからの配光パターンを算出する配光パターン算出部４５とを有している。
【０１０３】
ここで、本実施形態においては、反射面生成部３の構成に対応して、反射面評価部４が、ＸＹ曲線生成部４１及びＸＺ曲線生成部４２を有していない構成（図６参照）となっている。
【０１０４】
すなわち、上記した構成の反射面生成部３では、反射面ＲＳの生成に、複数の基点Ｄ0〜Ｄn、ＸＹ曲線Ｑ、及び複数のＸＺ曲線Ｒ0〜Ｒnを用いている。このとき、反射面評価部４においては、分割点の指定等を改めて行わず、反射面ＲＳの生成に用いられたこれらの点及び曲線を、そのまま、反射面ＲＳを評価するための複数の分割点、ＸＹ曲線、及び複数のＸＺ曲線として利用することが可能である。この場合には、反射面生成部３におけるＸＹ曲線生成部３１及びＸＺ曲線生成部３２が、それぞれ図６に示した反射面評価部４におけるＸＹ曲線生成部４１及びＸＺ曲線生成部４２と同様に機能する。
【０１０５】
このように、反射面ＲＳの生成（設計）及び評価を、同一のシステム内でＸＹ曲線及びＸＺ曲線を共用して実行することにより、例えば、要求される配光パターンを得るための評価及び再設計を連続して行うなど、反射面ＲＳの設計全体を効率的に行うことが可能となる。
【０１０６】
本発明による車両用灯具の反射鏡の反射面評価方法、反射面評価システム、及び記録媒体は、上記した実施形態及び実施例に限られるものではなく、様々な変形が可能である。例えば、評価対象とされた部分曲面上での評価点の設定については、上記した２次元配列による方法に限られず、個々の反射面または部分曲面の形状等に応じて、様々な設定方法を用いて良い。
【０１０７】
また、図４のフローチャートでは、評価点設定時に評価対象とする部分曲面を選択しているが、部分曲面の選択を行わずに、すべての部分曲面に対して評価点の設定及び配光パターンの算出を行っても良い。この場合、評価画面の作成または表示の段階で、評価画面に表示する部分曲面を評価者に選択させる構成などが可能である。
【０１０８】
【発明の効果】
本発明による車両用灯具の反射鏡の反射面評価方法、反射面評価システム、及び記録媒体は、以上詳細に説明したように、次のような効果を得る。すなわち、第１平面上の第１曲線と、第１曲線上の複数の分割点をそれぞれ通り分割点での光の反射方向に平行な第２平面上の第２曲線とによって、反射面を分割して複数の部分曲面とし、部分曲面ごとに配光パターンを算出及び表示することによって、反射面と配光パターンとの対応が明確化されて、反射面設計時の配光パターンの制御性を向上することが可能な車両用灯具の反射鏡の反射面評価方法、反射面評価システム、及び記録媒体が実現される。
【図面の簡単な説明】
【図１】車両用灯具の反射鏡の反射面評価方法を概略的に示す模式図である。
【図２】反射面に対する入射光の入射角度及び反射光の反射角度を示す図である。
【図３】車両用灯具の反射鏡の反射面評価方法の一実施形態を示すフローチャートである。
【図４】車両用灯具の反射鏡の反射面評価方法の一実施形態を示すフローチャートである。
【図５】ＸＺ曲線の生成方法を説明する図である。
【図６】車両用灯具の反射鏡の反射面評価システムの一実施形態の構成を示すブロック図である。
【図７】図６に示した反射面評価システムに用いられるハードウェア構成の一例を示すブロック図である。
【図８】評価画面の構成の一例を示す図である。
【図９】評価画面の構成の他の例を示す図である。
【図１０】評価画面の構成の他の例を示す図である。
【図１１】評価画面の構成の他の例を示す図である。
【図１２】車両用灯具の反射鏡の反射面評価システムの他の実施形態の構成を示すブロック図である。
【符号の説明】
１…反射面評価システム、１０…ＣＰＵ、１１…ＲＯＭ、１２…ＲＡＭ、１３…記憶装置、１４…入力装置、１５…表示装置、１６…ドライブ、
２…パラメータ入力部、３…反射面生成部、３１…ＸＹ曲線生成部、３２…ＸＺ曲線生成部、３３…面形状生成部、４…反射面評価部、４１…ＸＹ曲線生成部、４２…ＸＺ曲線生成部、４３…部分曲面生成部、４４…評価点設定部、４５…配光パターン算出部、５…画面表示指示部、５１…評価画面作成部、６…反射面入力部、７…画面表示部、
ＲＳ…反射面、Ｆ…光源位置、Ａｘ…光軸、Ｄ…分割点、Ｑ…ＸＹ曲線（第１曲線）、Ｒ…ＸＺ曲線（第２曲線）、Ｓ…部分曲面、Ｐ…評価点。
【図１】
0003917813.tif 000002
【図２】
0003917813.tif 000003
【図３】
0003917813.tif 000004
【図４】
0003917813.tif 000005
【図５】
0003917813.tif 000006
【図６】
0003917813.tif 000007
【図７】
0003917813.tif 000008
【図８】
0003917813.tif 000009
【図９】
0003917813.tif 000010
【図１０】
0003917813.tif 000011
【図１１】
0003917813.tif 000012
【図１２】
0003917813.tif 000013